(57)【特許請求の範囲】
【請求項１】
地盤に形成した縦坑内に円筒状の井戸壁体をライナープレートにより組み立て、このライナープレートに形成した集水孔から地盤中の水を井戸壁体の内側に集める集水井の前記集水孔に取り付けられる水抜き栓を設け、この水抜き栓は、前記集水孔に前記井戸壁体の外側から嵌合して固定される本体部と、この本体部に前記井戸壁体の内側から挿入されて前記井戸壁体の内側への土砂の流入を阻止する一方で水の流入を許容するフィルタ部と、前記本体部に前記井戸壁体の内側から着脱可能に取り付けられて前記フィルタ部を押さえるフィルタ押さえ部と、からなり、前記ライナープレートは、組み立てた井戸壁体がコルゲート管形状になるように井戸壁体の長手方向に向かう断面を波形状に形成し、前記水抜き栓の本体部は可撓性素材により形成されるとともに前記集水孔に挿入可能な外径の筒部を有し、前記筒部は一端側に前記集水孔の内径よりも大きい外径の外側ストッパ部を設け、この外側ストッパ部には前記井戸壁体の外側において前記ライナープレートの集水孔周囲の波形状窪部分に当接して抜け止め及び回転止めをする外側ストッパ面を設け、前記筒部は他端側に前記集水孔の内径よりも僅かに大きい外径の内側ストッパ部を設け、この内側ストッパ部には前記井戸壁体の内側において前記ライナープレートの集水孔周囲の波形状突部分に当接して抜け止めをする内側ストッパ面を設けるとともに、他端側外方に向かって窄まるガイド面を設け、前記筒部は他端側に前記内側ストッパ部を集水孔に挿入可能なようにこの内側ストッパ部を筒部の径中心方向に撓み変形させるためのスリットを設け、前記筒部内には一端側の端壁部に始端して他端側に開口するフィルタ挿入孔を設けるとともに、このフィルタ挿入孔の前記端壁部側の内周に雌ねじ部を設け、前記端壁部にはフィルタ挿入孔を筒部外に連通する端壁部用水抜き孔を設け、前記水抜き栓のフィルタ部は多数の透孔を有する素材により厚肉円板状に形成し、前記水抜き栓のフィルタ押さえ部は前記フィルタ挿入孔に挿入された前記フィルタ部に一側を当接される円板状の当接部とこの当接部の他側の中心から突出する軸状の操作部とを有し、前記当接部は外周に前記雌ねじ部に螺合する雄ねじ部を設けるとともに、一側と他側とを連通する当接部用水抜き孔を設けたことを特徴とする集水井の水抜き栓。
【請求項２】
前記フィルタ押さえ部の操作部には、六角形の操作用孔を設け、この操作用孔を前記当接部用水抜き孔の１つに連通したことを特徴とする請求項１に記載の集水井の水抜き栓。
【発明の詳細な説明】
【技術分野】
【０００１】
この発明は集水井の水抜き栓に係り、特に、目詰まりによる集水機能の低下を早期に回復することができる集水井の水抜き栓に関する。
【背景技術】
【０００２】
地すべり防止工としての抑制工には、ライナープレートを用いた集水井が多く用いられている。ライナープレートを用いた集水井は、地盤に形成した縦坑内に管状の井戸壁体をライナープレートにより組み立て、前記ライナープレートに形成した集水孔から地盤中の水を井戸壁体の内側に集める。集められた水は、自然排水され、または、ポンプによりくみ上げられて排水される。
【０００３】
従来の集水井には、円筒状の井戸壁体を隙間を開けて多重に同心配置し、各井戸壁体の側面に内外を連通する開口部を形成し、各井戸壁体の開口部の開口面積は内側になるほど大きくなるように形成し、各開口部を網状部材で覆ったものがある。
【特許文献１】特開平８−２９１５４２号公報
【０００４】
従来の集水井には、最外層の壁を撤去可能な仮壁とし、内側の壁に集水孔を設けた多重壁井筒を地中に埋設し、埋設した多重壁井筒の壁の間に礫を充填してフィルタ層を形成し、最外層の仮壁を撤去して集水井を構築するものがある。
【特許文献２】特開２００３−１３８６１１号公報
【発明の開示】
【発明が解決しようとする課題】
【０００５】
ところで、従来の集水井においては、井戸壁体を構成する部材に集水孔を形成して井戸壁体内に水を集めているが、長期間の使用により集水孔が周囲の礫・砂等の砂利により目詰まりを生じ易く、集水機能が低下する問題がある。
【０００６】
そこで、従来の集水井には、前記特許文献１のように、集水孔（開口部）をフィルタ（網状部材）で覆うことで、砂利による目詰まりを防止するものがある。
【０００７】
ところが、この集水井は、集水孔を覆うフィルタに目詰まりを生じた場合に、目詰まりの修復作業やフィルタの交換作業を行うために、目詰まりを生じた井戸壁体を構成する部材（ライナープレート）を外したり、井戸壁体の外側の礫等のフィルタ層を掘り出す必要がある。
【０００８】
このため、従来の集水井は、目詰まりの修復作業に多大な手間と時間を用するため、修復作業が困難であり、集水機能の低下を早期に回復することができない問題があった。
【０００９】
この発明は、集水井の井戸壁体を構成するライナープレートに形成した集水孔の目詰まりの修復作業を容易且つ短時間で行うことができ、目詰まりによる集水機能の低下を早期に回復することを目的とする。
【課題を解決するための手段】
【００１０】
この発明は、地盤に形成した縦坑内に円筒状の井戸壁体をライナープレートにより組み立て、このライナープレートに形成した集水孔から地盤中の水を井戸壁体の内側に集める集水井の前記集水孔に取り付けられる水抜き栓を設け、この水抜き栓は、前記集水孔に前記井戸壁体の外側から嵌合して固定される本体部と、この本体部に前記井戸壁体の内側から挿入されて前記井戸壁体の内側への土砂の流入を阻止する一方で水の流入を許容するフィルタ部と、前記本体部に前記井戸壁体の内側から着脱可能に取り付けられて前記フィルタ部を押さえるフィルタ押さえ部と、からなり、前記ライナープレートは、組み立てた井戸壁体がコルゲート管形状になるように井戸壁体の長手方向に向かう断面を波形状に形成し、前記水抜き栓の本体部は可撓性素材により形成されるとともに前記集水孔に挿入可能な外径の筒部を有し、前記筒部は一端側に前記集水孔の内径よりも大きい外径の外側ストッパ部を設け、この外側ストッパ部には前記井戸壁体の外側において前記ライナープレートの集水孔周囲の波形状窪部分に当接して抜け止め及び回転止めをする外側ストッパ面を設け、前記筒部は他端側に前記集水孔の内径よりも僅かに大きい外径の内側ストッパ部を設け、この内側ストッパ部には前記井戸壁体の内側において前記ライナープレートの集水孔周囲の波形状突部分に当接して抜け止めをする内側ストッパ面を設けるとともに、他端側外方に向かって窄まるガイド面を設け、前記筒部は他端側に前記内側ストッパ部を集水孔に挿入可能なようにこの内側ストッパ部を筒部の径中心方向に撓み変形させるためのスリットを設け、前記筒部内には一端側の端壁部に始端して他端側に開口するフィルタ挿入孔を設けるとともに、このフィルタ挿入孔の前記端壁部側の内周に雌ねじ部を設け、前記端壁部にはフィルタ挿入孔を筒部外に連通する端壁部用水抜き孔を設け、前記水抜き栓のフィルタ部は多数の透孔を有する素材により厚肉円板状に形成し、前記水抜き栓のフィルタ押さえ部は前記フィルタ挿入孔に挿入された前記フィルタ部に一側を当接される円板状の当接部とこの当接部の他側の中心から突出する軸状の操作部とを有し、前記当接部は外周に前記雌ねじ部に螺合する雄ねじ部を設けるとともに、一側と他側とを連通する当接部用水抜き孔を設けたことを特徴とする。
【発明の効果】
【００１１】
この発明の集水井の水抜き栓は、集水井の井戸壁体を構成するライナープレートの集水孔に本体部を井戸壁体の外側から嵌合して固定しているので、ライナープレートに本体部を容易に取り付けることができ、本体部にフィルタ部を井戸壁体の内側から挿入し、本体部にフィルタ押さえ部を井戸壁体の内側から着脱可能に取り付けているので、フィルタ部が目詰まりした場合に、井戸壁体の内側からフィルタ押さえ部を着脱してフィルタ部の清掃・交換を行うことができる。
このため、この発明の集水井の水抜き栓は、集水井の井戸壁体を構成するライナープレートに形成した集水孔の目詰まりの修復作業を容易且つ短時間で行うことができ、目詰まりによる集水機能の低下を早期に回復することができる。
【発明を実施するための最良の形態】
【００１２】
以下、図面に基づいて、この発明の実施例を説明する。
【実施例】
【００１３】
図１〜図１４は、この発明の実施例を示すものである。図１は水抜き栓の分解斜視図、図２は水抜き栓の斜視図、図３は水抜き栓をライナープレートへ取り付ける状態の斜視図、図４は集水井の断面図、図５は水抜き栓の正面図、図６は水抜き栓の側面図、図７は水抜き栓の背面図、図８は図５のＡ−Ａ線による水抜き栓の断面図、図９は本体部の正面図、図１０は本体部の側面図、図１１は本体部の背面図、図１２はフィルタ押さえ部の正面図、図１３はフィルタ押さえ部の側面図、図１４はフィルタ押さえ部の背面図である。
【００１４】
図４において、２は地盤、４は縦坑、６は井戸壁体、８はライナープレート、１０は集水孔、１２は集水井である。集水井１２は、地盤２に形成した縦坑４内に円筒状の井戸壁体６をライナープレート８により組み立て、このライナープレート８に形成した集水孔１０から地盤２中の水を井戸壁体６の内側に集める。井戸壁体６の内側に集められた水は、自然排水され、または、ポンプによりくみ上げられて排水される。なお、縦坑４と井戸壁体６との間には、必要に応じて礫・砂等の砂利を充填してフィルタ層を形成する。
【００１５】
前記集水井１２には、図２・図３に示すように、ライナープレート８の集水孔１０に取り付けられる水抜き栓１４を設けている。この水抜き栓１４は、図１に示すように、本体部１６とフィルタ部１８とフィルタ押さえ部２０とからなる。本体部１６は、ライナープレート８の集水孔１０に井戸壁体６の外側から嵌合して固定される。フィルタ部１８は、ライナープレート８に取り付けられた本体部１６に井戸壁体６の内側から挿入されて、井戸壁体６の内側への土砂の流入を阻止する一方で水の流入を許容する。フィルタ押さえ部２０は、ライナープレート８に取り付けられた本体部１６に井戸壁体６の内側から着脱可能に取り付けられて、フィルタ部１８を押さえる。
【００１６】
前記ライナープレート８は、図３に示すように、組み立てた井戸壁体６がコルゲート管形状になるように、井戸壁体６の長手方向（図３において上下方向）に向かう断面を波形状に形成している。
【００１７】
前記水抜き栓１４の本体部１６は、図９〜図１１に示すように、可撓性素材により筒状に形成されるとともに、集水孔１０に挿入可能な外径の筒部２２を有している。筒部２２は、一端側に、集水孔１０の内径よりも大きい外径の外側ストッパ部２４を設けている。この外側ストッパ部２４には、一端側の径方向対称位置に斜面状の外側ストッパ面２６を設けている。外側ストッパ面２６は、図３・図６に示すように、井戸壁体６の外側において、ライナープレート８の集水孔１０周囲の波形状窪部分２８に当接して、抜け止め及び回転止めをする。
【００１８】
前記筒部２２は、他端側に、集水孔１０の内径よりも僅かに大きい外径の内側ストッパ部３０を設けている。この内側ストッパ部３０は、他端側に垂直面状の内側ストッパ面３２を設け、外周に他端側外方に向かって窄まるテーパ面状のガイド面３４を設けている。内側ストッパ面３２は、図３・図６に示すように、井戸壁体６の内側において、ライナープレート８の集水孔１０周囲の波形状突部分３６に当接して、抜け止めをする。ガイド面３４は、水抜き栓１４を集水孔１０に嵌合する際に集水孔１０内面により押圧され、内側ストッパ部３０を筒部２２の径中心方向に撓み変形させる。
【００１９】
前記筒部２２は、他端側に、スリット３８を設けている。スリット３８は、内側ストッパ部３０を集水孔１０に挿入可能なように、この内側ストッパ部３０を筒部２２の径中心方向に撓み変形させるためのものである。
【００２０】
前記筒部２２内には、一端側に端壁部４０を設けている。筒部２２内には、この端壁部４０の内側に始端して他端側に開口するフィルタ挿入孔４２を設けるとともに、このフィルタ挿入孔４２の端壁部４０側の内周に雌ねじ部４４を設けている。端壁部４０には、フィルタ挿入孔４２を筒部２２外に連通する複数の端壁部用水抜き孔４６を設けている。
【００２１】
前記水抜き栓１４のフィルタ部１８は、図１・図８に示すように、多数の透孔を有する素材により厚肉円板状に形成している。
【００２２】
前記水抜き栓１４のフィルタ押さえ部２０は、図１２〜図１４に示すように、フィルタ挿入孔４２に挿入されたフィルタ部１８に一側を当接される円板状の当接部４８と、この当接部４８の他側の中心から突出する軸状の操作部５０とを有している。当接部４８は、外周に前記雌ねじ部４４に螺合する雄ねじ部５２を設けるとともに、一側と他側とを連通する複数の当接部用水抜き孔５４を設けている。前記フィルタ押さえ部２０の操作部５０には、六角形の操作用孔５６を形成し、この操作用孔５６を前記当接部用水抜き孔５４の１つに連通している。
【００２３】
次に、この実施例の作用を説明する。
【００２４】
集水井１２の水抜き栓１４は、図１に示すように、本体部１６とフィルタ部１８とフィルタ押さえ部２０とからなり、本体部１６の他端側からフィルタ挿入孔４２にフィルタ部１８を挿入して一端側の端壁部４０に当接させ、フィルタ挿入孔４２にフィルタ押さえ部２０の当接部４８を挿入して雄ねじ部５２を筒部２２の雌ねじ部４４に螺合し、操作部５０により当接部４８を回転させて締め付けることにより、端壁部４０にフィルタ部１８を当接部４８で押し付ける。
【００２５】
これにより、水抜き栓１４は、図２・図５〜図８に示すように、本体部１６に収納したフィルタ部１８をフィルタ押さえ部２０により押さえた状態で組み立てられる。
【００２６】
組み立てられた水抜き栓１４は、図３に示すように、円筒状の井戸壁体６を構成するライナープレート８の集水孔１０に、井戸壁体６の外側から嵌合して固定される。水抜き栓１４は、本体部１６の筒部２２の他端側の内側ストッパ部３０を井戸壁体６の外側からライナープレート８の集水孔１０に押し込むと、内側ストッパ部３０のガイド面３４が集水孔１０内面により押圧され、スリット３８により内側ストッパ部３０が原形から筒部２２の径中心方向に撓み変形される。内側ストッパ部３０は、撓み変形により外径が集水孔１０の内径よりも小さくなり、集水孔１０に挿入可能になる。
【００２７】
水抜き栓１４は、撓み変形した内側ストッパ部３０をライナープレート８の集水孔１０にさらに押し込むことで、ガイド面３４がライナープレート８の集水孔１０を通過して井戸壁体６の内側に突入し、ガイド面３４が集水孔１０内面による押圧から解放され、内側ストッパ部３０が原形に復元する。
【００２８】
原形に復元した内側ストッパ部３０は、内側ストッパ面３２を、図６に示すように、井戸壁体６の内側において、ライナープレート８の集水孔１０周囲の波形状突部分３６に当接して、抜け止めをする。また、外側ストッパ部２４は、外側ストッパ面２６を、井戸壁体６の外側において、ライナープレート８の集水孔１０周囲の波形状窪部分２８に当接して、抜け止め及び回転止めをする。これにより、水抜き栓１４は、井戸壁体６の内側からフィルタ押さえ部２０を着脱可能な状態で、ライナープレート８の集水孔１０に嵌合して固定される。
【００２９】
ライナープレート８に取り付けられた水抜き栓１４は、井戸壁体６外側の地盤２中の水を、端壁部用水抜き孔４６から、フィルタ部１８、当接部用水抜き孔５４を介して井戸壁体６の内側に流入させる。これにより、集水井１２は、地盤２中の水を集める。集められた水は、自然排水され、または、ポンプによりくみ上げられて排水される。
【００３０】
この集水井１２の水抜き栓１４は、フィルタ部１８に目詰まりを生じた場合に、井戸壁体６の内側からフィルタ押さえ部２０の操作部５０を手で回転させ、当接部４８の雄ねじ部５２と筒部２２の雌ねじ部４４との螺合を緩めて、フィルタ押さえ部２０をフィルタ挿入孔４２から取り外すことで、目詰まりの修復作業やフィルタ部１８の交換作業を行うことができる。作業終了後は、本体部１６のフィルタ挿入孔４２にフィルタ部１８を挿入してフィルタ押さえ部２０の当接部４８の雄ねじ部５２を筒部２２の雌ねじ部４４に螺合し、操作部５０により当接部４８を回転させて締め付けることにより、フィルタ部１８を組み付けることができる。
【００３１】
このように、この集水井１２の水抜き栓１４は、集水井１２の井戸壁体６を構成するライナープレート８の集水孔１０に本体部１６を井戸壁体６の外側から嵌合して固定しているので、ライナープレート８に容易に取り付けることができ、本体部１６にフィルタ部１８を井戸壁体６の内側から挿入し、本体部１６にフィルタ押さえ部２０を井戸壁体６の内側から着脱可能に取り付けているので、フィルタ部１８が目詰まりした場合に、井戸壁体６の内側からフィルタ押さえ部２０を着脱してフィルタ部１８の清掃・交換を行うことができる。
【００３２】
このため、この集水井１２の水抜き栓１４は、井戸壁体６を構成するライナープレート８を外したり、井戸壁体６の外側の砂利等のフィルタ層を掘り出す作業を必要とせず、井戸壁体６を構成するライナープレート８に形成した集水孔１０の目詰まりの修復作業を容易且つ短時間で行うことができ、目詰まりによる集水機能の低下を早期に回復することができる。
【００３３】
また、フィルタ押さえ部２０の操作部５０には、六角形の操作用孔５６を設けているので、フィルタ押さえ部２０を手で回転操作することができない場合に、工具を使用して回転させることができる。また、フィルタ押さえ部２０の操作部５０は、操作用孔５６を当接部用水抜き孔５４の１つに連通しているので、集水機能を上げることができる。
【００３４】
なお、この実施例においては、水抜き栓１４をライナープレート８の集水孔１０に井戸壁体６の外側から取り付けたが、図１５〜図１７に示すようよに、ライナープレート８の集水孔１０に井戸壁体６の内側から取り付けることもできる。
【００３５】
図１５〜図１７に示す変形例の水抜き栓６０は、ライナープレート８の集水孔１０に井戸壁体６の内側から嵌合して固定される本体部６２と、ライナープレート８に取り付けられた本体部６２に井戸壁体６の内側から挿入されて井戸壁体６の内側への土砂の流入を阻止する一方で水の流入を許容するフィルタ部６４と、ライナープレート８に取り付けられた本体部６２に井戸壁体６の内側から着脱可能に取り付けられてフィルタ部６４を押さえるフィルタ押さえ部６６と、からなる。
【００３６】
本体部６２の筒部６８は、集水孔１０に挿入可能な外径を有し、一端側に集水孔１０の内径よりも僅かに大きい外径の外側ストッパ部７０を設け、この外側ストッパ部７０の他端側に垂直面状の外側ストッパ面７２を設け、外周に一端側外方に向かって窄まるテーパ面状のガイド面７４を設け、外側ストッパ部７０を集水孔１０に挿入可能なように筒部６８の径中心方向に撓み変形させるためのスリット７６を設けている。
【００３７】
前記筒部６８は、他端側に集水孔１０の内径よりも大きい外径の内側ストッパ部７８を設け、この内側ストッパ部７８の他端側の径方向対称位置に斜面状の内側ストッパ面８０を設けている。
【００３８】
前記筒部６８内には、中間に端壁部８２を設け、この端壁部８２の一側に始端して一端側に開口する導水孔８４を設けるとともに、この端壁部８２の他側に始端して他端側に開口するフィルタ挿入孔８６を設け、このフィルタ挿入孔８６の内周に雌ねじ部８８を設けている。端壁部８２には、フィルタ挿入孔８６を導水孔８４に連通する複数の端壁部用水抜き孔８８を設けている。
【００３９】
前記フィルタ部６４は、多数の透孔を有する素材により厚肉円板状に形成している。
【００４０】
前記フィルタ押さえ部６６は、フィルタ挿入孔８６に挿入されたフィルタ部６４に一側を当接される円板状の当接部９０と、この当接部９０の他側の中心から突出する軸状の操作部９２とを有している。当接部９０は、外周に前記雌ねじ部８８に螺合する雄ねじ部９４を設けるとともに、一側と他側とを連通する複数の当接部用水抜き孔９６を設けている。操作部９２には、六角形の操作用孔９８を形成し、この操作用孔９８を前記当接部用水抜き孔９６の１つに連通している。
【００４１】
この水抜き栓６０は、本体部６２の筒部６８一端側の外側ストッパ部７０を井戸壁体６の内側からライナープレート８の集水孔１０に押し込むことで、外側ストッパ部７０のガイド面７４及びスリット７６により外側ストッパ部７０を原形から筒部６８の径中心方向に撓み変形させて、集水孔１０に挿入可能になる。水抜き栓６０は、撓み変形した外側ストッパ部７０をライナープレート８の集水孔１０にさらに押し込むと、ガイド面７４がライナープレート８の集水孔１０を通過して井戸壁体６の外側に突出して押圧から解放され、外側ストッパ部７０が原形に復元する。
【００４２】
原形に復元した外側ストッパ部７０は、外側ストッパ面７２を、井戸壁体６の外側において、ライナープレート８の集水孔１０周囲の波形状突部分３６に当接して、抜け止めをする。また、内側ストッパ部７８は、内側ストッパ面８０を、井戸壁体６の内側において、ライナープレート８の集水孔１０周囲の波形状窪部分２８に当接して、抜け止め及び回転止めをする。これにより、水抜き栓６０は、井戸壁体６の内側からフィルタ押さえ部６６を着脱可能な状態で、ライナープレート８の集水孔１０に嵌合して固定される。
【００４３】
ライナープレート８に取り付けられた水抜き栓６０は、井戸壁体６外側の地盤２中の水を、導水孔８４から、端壁部用水抜き孔８８、フィルタ部６４、当接部用水抜き孔９６を介して井戸壁体６の内側に流入させる。これにより、集水井１２は、地盤２中の水を集める。集められた水は、自然排水され、または、ポンプによりくみ上げられて排水される。
【００４４】
この集水井１２の水抜き栓６０は、フィルタ部６４に目詰まりを生じた場合に、井戸壁体６の内側からフィルタ押さえ部６６の操作部９２を手で回転させ、当接部９０の雄ねじ部９４と筒部６８の雌ねじ部８８との螺合を緩めて、フィルタ押さえ部６６をフィルタ挿入孔８６から取り外すことで、目詰まりの修復作業やフィルタ部６４の交換作業を行うことができる。作業終了後は、本体部６２のフィルタ挿入孔８６にフィルタ部６４を挿入してフィルタ押さえ部６６の当接部９０の雄ねじ部９４を筒部６８の雌ねじ部８８に螺合し、操作部９２により当接部９０を回転させて締め付けることにより、フィルタ部６４を組み付けることができる。
【００４５】
このように、変形例の水抜き栓６０は、ライナープレート８の集水孔１０に本体部６２を井戸壁体６の内側から嵌合して固定しているので、ライナープレート８に容易に取り付けることができるとともに交換が容易であり、本体部６２にフィルタ部６４を井戸壁体６の内側から挿入し、本体部６２にフィルタ押さえ部６６を井戸壁体６の内側から着脱可能に取り付けているので、フィルタ部６４が目詰まりした場合に、井戸壁体６の内側からフィルタ押さえ部６６を着脱してフィルタ部６４の清掃・交換を行うことができる。
【００４６】
このため、この水抜き栓６０は、井戸壁体６を構成するライナープレート８を外したり、井戸壁体６の外側の砂利等のフィルタ層を掘り出す作業を必要とせず、井戸壁体６を構成するライナープレート８に形成した集水孔１０の目詰まりの修復作業を容易且つ短時間で行うことができ、目詰まりによる集水機能の低下を早期に回復することができる。
【００４７】
また、フィルタ押さえ部６６の操作部９２には、六角形の操作用孔９８を設けているので、手で回転操作することができない場合に、工具を使用して回転させることができる。また、フィルタ押さえ部６６の操作部９２は、操作用孔９８を当接部用水抜き孔９６の１つに連通しているので、集水機能を上げることができる。
【００４８】
なお、この発明は、上述実施例に限定されることなく、種々応用改変が可能である。例えば、水抜き栓は、本体部の筒部の一端側及び他端側に夫々垂直面状のストッパ面及びテーパ面状のガイド面を有するストッパ部を設けるとともにこのストッパ部を撓み変形させるためのスリットを夫々設け、筒部内の中間に端壁部を設け、この端壁部を挟んで筒部の一端側及び他端側に夫々開口するフィルタ挿入孔を設け、各フィルタ挿入孔の内周に雌ねじ部を設け、端壁部に両側のフィルタ挿入孔を連通する複数の端壁部用水抜き孔を設け、本体部を対称形状に形成することで、本体部にフィルタ及びフィルタ押さえ部を一端側及び他端側のいずれ側からでも取り付け可能とし、ライナープレートの集水孔に本体部を井戸壁体の内側及び外側のいずれ側からでも取り付け可能とすることができる。
【００４９】
また、フィルタ部は、多数の透孔を有する素材により厚肉円板状に形成した１種類でなく、多数透孔素材と網状素材との２種類を組み合わせても良い。
【産業上の利用可能性】
【００５０】
この発明の集水井の水抜き栓は、目詰まりによる集水機能の低下を早期に回復することができ、地すべり防止工としてのライナープレートを用いた集水井や浸透井に利用することができる。
【図面の簡単な説明】
【００５１】
【図１】実施例を示す水抜き栓の分解斜視図である。
【図２】水抜き栓の斜視図である。
【図３】水抜き栓をライナープレートへ取り付ける状態の斜視図である。
【図４】集水井の断面図である。
【図５】水抜き栓の正面図である。
【図６】水抜き栓の側面図である。
【図７】水抜き栓の背面図である。
【図８】図５のＡ−Ａ線による水抜き栓の断面図である。
【図９】本体部の正面図である。
【図１０】本体部の側面図である。
【図１１】本体部の背面図である。
【図１２】フィルタ押さえ部の正面図である。
【図１３】フィルタ押さえ部の側面図である。
【図１４】フィルタ押さえ部の背面図である。
【図１５】変形例を示す水抜き栓の正面図である。
【図１６】変形例を示す水抜き栓の側面図である。
【図１７】図１５のＢ−Ｂ線による水抜き栓の断面図である。
【符号の説明】
【００５２】
２  地盤
４  縦坑
６  井戸壁体
８  ライナープレート
１０  集水孔
１２  集水井
１４  水抜き栓
１６  本体部
１８  フィルタ部
２０  フィルタ押さえ部
２２  筒部
２４  外側ストッパ部
２６  外側ストッパ面
２８  波形状窪部分
３０  内側ストッパ部
３２  内側ストッパ面
３４  ガイド面
３６  波形状突部分
３８  スリット
４０  端壁部
４２  フィルタ挿入孔
４４  雌ねじ部
４６  端壁部用水抜き孔
４８  当接部
５０  操作部
５２  雄ねじ部
５４  当接部用水抜き孔
５６  操作用孔
【図１】
0005114248.tif 000002
【図２】
0005114248.tif 000003
【図３】
0005114248.tif 000004
【図４】
0005114248.tif 000005
【図５】
0005114248.tif 000006
【図６】
0005114248.tif 000007
【図７】
0005114248.tif 000008
【図８】
0005114248.tif 000009
【図９】
0005114248.tif 000010
【図１０】
0005114248.tif 000011
【図１１】
0005114248.tif 000012
【図１２】
0005114248.tif 000013
【図１３】
0005114248.tif 000014
【図１４】
0005114248.tif 000015
【図１５】
0005114248.tif 000016
【図１６】
0005114248.tif 000017
【図１７】
0005114248.tif 000018